(57)【特許請求の範囲】
【請求項１】
操作部材を駆動してレンズ群の一部を移動させるレンズ駆動手段と、
映像を記録する映像記録手段と、
音声を記録する音声記録手段と、
前記操作部材の位置を検出する位置検出手段と、
前記操作部材の移動を制限する移動制限端部と、
前記位置検出手段により前記操作部材が前記移動制限端部近傍に位置することを検出したとき、前記音声記録手段に記録される音声から、前記操作部材が前記移動制限端部に衝突することによる衝突音に対応する音声を除去する制御を行う制御手段と
を備えていることを特徴とする撮像装置。
【請求項２】
前記制御手段による前記制御は、前記音声記録手段に音声を記録するときに行われることを特徴とする請求項１記載の撮像装置。
【請求項３】
前記制御手段による前記制御は、前記音声記録手段に音声を記録した後に行われることを特徴とする請求項１記載の撮像装置。
【請求項４】
前記制御手段は前記位置検出手段の出力に基づいて前記操作部材の駆動速度を演算し、前記操作部材の位置情報と駆動速度とに基づいて前記制御を行うか否かを判断することを特徴とする請求項１〜３のいずれか１項記載の撮像装置。
【請求項５】
前記操作部材は、回転又は直進により光学的に変倍を行うズーム環であることを特徴とする請求項１〜４のいずれか１項記載の撮像装置。
【請求項６】
前記操作部材は、回転又は直進により光学的に焦点調節を行うフォーカス環であることを特徴とする請求項１〜４のいずれか１項記載の撮像装置。
【請求項７】
前記位置検出手段は、前記操作部材の位置を検出するエンコーダであることを特徴とする請求項１〜６のいずれか１項記載の撮像装置。
【発明の詳細な説明】
【技術分野】
【０００１】
この発明は撮像装置に関する。
【背景技術】
【０００２】
近年カメラ一体型ＶＴＲの普及に伴い、カメラ撮影を行う機会がますます増加している。カメラ一体型ＶＴＲは映像と音声とが同時に記録されるため、撮影時の操作音、駆動音が大きいと、それが雑音としてテープに記録されてしまい、再生時に非常に耳障りである。レンズ部のフォーカスリング、ズームリング等は撮影中常に操作されるため、操作時、特に回転制限端部における衝突音を低減させる必要がある。
【０００３】
従来、例えばフォーカスリングの端部に設けられたストッパの先端部に弾性部材を一体的に設けるとともに、固定環に固定ストッパを設け、フォーカスリングの回転により弾性部材が固定ストッパに衝突したとき、弾性部材の変形によって衝突のエネルギを吸収して衝突音を低減するストッパ装置が知られている（下記公報参照）。
【特許文献１】特開平２−９３６１６号公報
【発明の開示】
【発明が解決しようとする課題】
【０００４】
上記ストッパ装置では操作時の回転制限端部における衝突音を低減させることはできるが、衝突音を除去することはできない。
【０００５】
この発明はこのような事情に鑑みてなされたもので、その課題は操作部材を操作したときの回転制限端部における衝突音を除去することもできる撮像装置を提供することである。
【課題を解決するための手段】
【０００６】
前述の課題を解決するため請求項１記載の発明は、操作部材を駆動してレンズ群の一部を移動させるレンズ駆動手段と、映像を記録する映像記録手段と、音声を記録する音声記録手段と、前記操作部材の位置を検出する位置検出手段と、前記操作部材の移動を制限する移動制限端部と、前記位置検出手段により前記操作部材が前記移動制限端部近傍に位置することを検出したとき、前記音声記録手段に記録される音声から、前記操作部材が前記移動制限端部に衝突することによる衝突音に対応する音声を除去する制御を行う制御手段とを備えていることを特徴とする。
【０００７】
請求項２記載の発明は、請求項１記載の撮像装置において、前記制御手段による前記制御は、前記音声記録手段に音声を記録するときに行われることを特徴とする。
【０００８】
請求項３記載の発明は、請求項１記載の撮像装置において、前記制御手段による前記制御は、前記音声記録手段に音声を記録した後に行われることを特徴とする。
【００１０】
請求項４記載の発明は、請求項１〜３のいずれか１項記載の撮像装置において、前記制御手段は前記位置検出手段の出力に基づいて前記操作部材の駆動速度を演算し、前記操作部材の位置情報と駆動速度とに基づいて前記制御を行うか否かを判断することを特徴とする。
【００１１】
請求項５記載の発明は、請求項１〜４のいずれか１項記載の撮像装置において、前記操作部材は、回転又は直進により光学的に変倍を行うズーム環であることを特徴とする。
【００１２】
請求項６記載の発明は、請求項１〜４のいずれか１項記載の撮像装置において、前記操作部材は、回転又は直進により光学的に焦点調節を行うフォーカス環であることを特徴とする撮像装置。
【００１３】
請求項７記載の発明は、請求項１〜６のいずれか１項記載の撮像装置において、前記位置検出手段は、前記操作部材の位置を検出するエンコーダであることを特徴とする。
【発明の効果】
【００１４】
この発明によれば、操作部材を操作したときの回転範囲両端における衝突音を除去することもできる。
【発明を実施するための最良の形態】
【００１５】
以下、この発明の実施の形態を図面に基づいて説明する。
【００１６】
図１はこの発明の一実施形態に係るカメラの斜視図、図２は鏡筒をズームリングの部分で切断したときの断面を示す概念図、図３はズームリングの位置検出を説明するための模式図、図６はこの発明の一実施形態に係るカメラの構成を説明するブロック図である。
【００１７】
カメラ（撮像装置）１はカメラ本体１０と鏡筒２０とを備えている。
【００１８】
カメラ本体１０の正面にはマイク１１が配置され、カメラ本体１０の周囲の音を取り込む。また、カメラ本体１０の上面には音声付きの動画撮影を可能にするレリーズ釦１２が配置されている。
【００１９】
鏡筒２０内には、ズームリング（ズーム環、操作部材）２１の操作によって光軸方向へ動くズームレンズ２３とフォーカスリング（図示せず）の操作によって光軸方向へ動くフォーカスレンズ２２とが収容されている。
【００２０】
ズームリング２１を図２の矢印Ｗ（広角）方向へ回転させると、ズームリング２１の一方のメカ端２１ａが固定リング２５の一方のメカ端制限部（移動制限端部）２５ａに衝突し、ズームリング２１を図２の矢印Ｔ（望遠）方向へ回転させると、ズームリング２１の他方のメカ端２１ｂが固定リング２５の他方のメカ端制限部（移動制限端部）２５ｂに衝突する。
【００２１】
また、ズームリング２１の内周面と固定リング２５の外周面との間にはエンコーダ（位置検出手段）７０が設けられている。エンコーダ７０はブラシ２６とパターン２７とで構成される。ズームリング２１の回転に伴ってパターン２７上をブラシ２６が滑る。このとき、ブラシ２６はパターン２７に点接触する。ブラシ２６は図示しない電源に接続され、ブラシの電位は各ブラシ２６がパターン２７の導通部と接触しているときに「Ｌ」、非導通部と接触しているとき「Ｈ」となる。カメラ制御回路（制御手段）１００はエンコーダ７０のブラシ２６から信号を読み取り、ズームリング２１の位置を検出する。なお、図３に示すように、パターン２７には例えばＺ００〜Ｚ２１までの番地が付けられている。番地Ｚ００がズームリング２１のメカ端２１ｂに対応し、番地Ｚ２１がズームリング２１のメカ端２１ａに対応する。
【００２２】
図２ではズームリング２１にブラシ２６が設けられ、固定リング２５にパターン２７が設けられているが、ズームリング２１にパターン２７を設け、固定リング２５にブラシ２６を設けてもよい。なお、カメラ本体１０に対する配線の図示は省略した。
【００２３】
カメラ本体１０内には、音声信号を制御する音声制御回路３０、カメラ制御回路１００で処理された映像・音声信号を圧縮して記録するメモリカード等の記録媒体（映像記録手段、音声記録手段）４０、ＣＣＤ等の撮像素子５１から出力された信号を増幅、Ａ／Ｄ変換してカメラ制御回路１００に入力させる撮像回路５０、エンコーダ７０から出力されたズームリング２１の位置情報を出力するレンズ制御回路６０、ズームレンズ２１を駆動してレンズ群の一部を移動させるレンズ駆動部（レンズ駆動手段）８０等が収容されている。カメラ制御回路１００はＣＰＵで構成される。
【００２４】
音声制御回路３０では、マイク１１から出力される音声信号がＡ／Ｄ変換器３１でデジタル信号に変換された後、ＢＰＦ（バンドパスフィルタ）３２でノイズが除去され、エンコーダ３３で音声信号がコード化される。コード化された音声信号は信号処理回路３４で信号処理され、音声データとして記録媒体４０に記録される。ＢＰＦ３２はカメラ制御回路１００からの指示によりオン・オフ制御される。
【００２５】
レンズ制御回路６０はエンコーダ７０から出力されるズームリング２１の位置を示す信号をＡ／Ｄ変換器６１でデジタル信号に変換した後、ズームリング２１の位置をズームリング２１の移動に応じて発生する信号から検出し、その信号を信号処理回路６３で信号処理してズームリング２１の位置情報としてカメラ制御回路１００へ出力する。
【００２６】
カメラ制御回路１００はレンズ制御回路６０の出力に基づいて音声を補正（例えば音声を除去）するか否かを制御する。この制御は音声を記録媒体４０に記録するとき、又は記録した後に行われる。
【００２７】
カメラ制御回路１００はレンズ制御回路６０から出力されるズームリング２１の位置情報に基づいてズームリング２１のメカ端２１ａ（２１ｂ）が固定リング２５のメカ端制限部２５ａ（２５ｂ）に衝突する位置にあることを検出したとき、メカ端２１ａ（２１ｂ）とメカ端制限部２５ａ（２５ｂ）との衝突音を消すことを指示する音声補正信号１００ａを記録媒体４０に出力する。
【００２８】
また、カメラ制御回路１００はエンコーダ７０の出力（番地の切替スピード）に基づいてズームリング２１の回転速度を演算し、この演算結果とズームリング２１の位置情報とに基づいてメカ端２１ａ，２１ｂとメカ端制限部２５ａ，２５ｂとの衝突音を消すことを指示する音声補正信号１００ａを出力する。
【００２９】
次に、ズームリング２１のメカ端２１ａ（２１ｂ）と固定リング２５のメカ端制限部２５ａ（２５ｂ）との衝突によって発生した衝突音であるか否かを判断する方法を説明する。
【００３０】
図５（ａ）はマイク１１の出力波形を示す図、図５（ｂ）はエンコーダ７０の出力変化を示す図である。図５（ａ）において、横軸及び縦軸はそれぞれ時間及び音圧（ｄＢ）を示す。また、図５（ｂ）において、横軸及び縦軸はそれぞれ時間及びズームリング２１の位置を示す。なお、図５（ｂ）はズームリング２１を図２に示すＷ（広角）側からＴ（望遠）側へ回転させた場合である。
【００３１】
図５（ａ）において、ＳＬ１，ＳＬ２はそれぞれ所定の閾値（―Ａ）ｄＢを超えた大きな音声信号である。
【００３２】
しかし、ＳＬ１はズームリング２１をＷ（広角）側からＴ（望遠）側へ所定量だけ回転させた後、その位置を維持しているときに発生した音であるので、ズームリング２１のメカ端２１ｂと固定リング２５のメカ端制限部２５ｂとの衝突によって発生した衝突音でないと判断される。
【００３３】
一方、ＳＬ２はズームリング２１をＴ（望遠）側まで回転させたときに発生した音であるので、ズームリング２１のメカ端２１ｂと固定リング２５のメカ端制限部２５ｂとの衝突によって発生した衝突音であると判断される。
【００３４】
次に衝突音の除去方法を説明する。
【００３５】
図４は衝突音を除去する方法を説明するフローチャートである。Ｓ１〜Ｓ７は動作の各ステップを示す。
【００３６】
カメラの電源が入り、レリーズ釦１２が操作されると、動画・音声取得モードになる。
【００３７】
まず、ズームリング２１が操作されたか否かをエンコーダ７０の出力に基づいて判断する（Ｓ１）。
【００３８】
ズームリング２１が操作されていないとき（ＮＯ）、ズームリング２１が操作されたか否かの判断を繰り返す。
【００３９】
ズームリング２１が操作されたとき（ＹＥＳ）、ズームリング２１のメカ端２１ａ（２１ｂ）が固定リング２５のメカ端制限部２５ａ（２５ｂ）の付近にあるか否かを判断する（Ｓ２）。
【００４０】
ズームリング２１のメカ端２１ａ（２１ｂ）が固定リング２５のメカ端制限部２５ａ（２５ｂ）の付近にないとき（ＮＯ）、ステップＳ１へ戻る。
【００４１】
ズームリング２１のメカ端２１ａ（２１ｂ）が固定リング２５のメカ端制限部２５ａ（２５ｂ）の付近にあるとき（ＹＥＳ）、エンコーダ７０の切替スピードが予め設定されたスピード（所定スピード）より遅いか否かを判断する（Ｓ３）。
【００４２】
エンコーダ７０の切替スピードが所定スピードより速くないとき（ＮＯ）、ステップＳ１へ戻る。
【００４３】
エンコーダ７０の切替スピードが所定スピードより速いとき（ＹＥＳ）、タイマ（図示せず）をリセット（ｔ＝０）する（Ｓ４）。なお、タイマは計時を行うためにカメラ制御回路１００に設けられている。
【００４４】
タイマのリセット後、ｔ＜ｔｍａｘを判断する（Ｓ５）。ｔｍａｘは例えば０．５ｍｓである。
【００４５】
ｔ＜ｔｍａｘのとき（ｔが０．５ｍｓ未満のとき）（ＹＥＳ）、ズームリング２１のメカ端２１ａ（２１ｂ）と固定リング２５のメカ端制限部２５ａ（２５ｂ）との衝突音が記録媒体４０に記録されたか否かを判断する（Ｓ６）。
【００４６】
衝突音が記録媒体４０に記録されていないとき（ＮＯ）、ステップＳ５に戻る。
【００４７】
衝突音が記録媒体４０に記録されているとき（ＹＥＳ）、記録媒体４０に記録された衝突音を除去する（Ｓ７）。
【００４８】
衝突音の除去は、あらかじめ記憶させた衝突音の周波数と略一致する周波数成分を除去することにより行われる。
【００４９】
ｔ＜ｔｍａｘの間、衝突音が記録媒体４０に記録されることなくステップ５に戻るサイクルを繰り返し、ｔ＜ｔｍａｘでなくなったとき（ｔが０．５ｍｓを超えたとき）（ＮＯ）、既にズームリング２１のメカ端２１ａ（２１ｂ）と固定リングのメカ端制限部２５ａ（２５ｂ）とは衝突しているが、メカ端２１ａ（２１ｂ）と固定リングのメカ端制限部２５ａ（２５ｂ）との間隔が小さかったあるいはズームリング２１の衝突時のスピードが遅くなっていたために発生する衝突音が小さく、記録媒体４０に記録されなかったと判断して、音を消す処理を行うことなく処理を終了する。
【００５０】
その結果、記録媒体４０に衝突音が記録された場合に、記録された衝突音のみが除去され、映像と必要な音声だけが記録される。
【００５１】
なお、上記実施形態ではズームリング２１の位置情報と切替スピードとによって音声信号を制御したが、ズームリング２１の位置情報だけに基づいて音声信号を制御するようにしてもよい。
【００５２】
この実施形態によれば、ズームリング２１のメカ端２１ａ（２１ｂ）と固定リング２５のメカ端制限部２５ａ（２５ｂ）との衝突によって発生した衝突音であるか否かを判断し、衝突により発生した音を確実に除去できる。
【００５３】
なお、上記実施形態では操作部材がズームリング２１であるが、操作部材としてはズームリング２１に限られず、例えばフォーカスリング等も含まれる。
【図面の簡単な説明】
【００５４】
【図１】図１はこの発明の一実施形態に係るカメラの斜視図である。
【図２】図２は鏡筒をズームリングの部分で切断したときの断面を示す概念図である。
【図３】図３はズームリングの位置検出を説明するための模式図である。
【図４】図４は衝突音を除去する方法を説明するフローチャートである。
【図５】図５（ａ）はマイクの出力波形を示す図、図５（ｂ）はエンコーダの出力変化を示す図である。
【図６】図６はこの発明の一実施形態に係るカメラの構成を説明するブロック図である。
【符号の説明】
【００５５】
１：カメラ（撮像装置）、２１：ズームリング（ズーム環、操作部材）、２１ａ，２１ｂ：メカ端、２２：フォーカスレンズ、２３：ズームレンズ、２５ａ，２５ｂ：メカ端制限部（移動制限端部）、４０：記録媒体（映像記録手段、音声記録手段）、７０：エンコーダ（位置検出手段）、８０：レンズ駆動部（レンズ駆動手段）、１００：カメラ制御回路（制御手段）。
【図１】
0005146666.tif 000002
【図２】
0005146666.tif 000003
【図３】
0005146666.tif 000004
【図４】
0005146666.tif 000005
【図５】
0005146666.tif 000006
【図６】
0005146666.tif 000007